(57)【要約】【課題】基板上に一層で静電容量を形成する場合に、解像度の向上が図れる上に、静電容量の十分な変化が得られるようにしたタッチパネルを提供する。【解決手段】この発明は、基板１上に形成されるタッチパネルであって、基板１上に配置される検出電極２と、基板１上に配置され、検出電極２を取り囲む駆動電極３と、を備えている。検出電極２の一端は導線４１に接続され、駆動電極３一端は導線と接続される。駆動電極３は、検出電極２を取り囲む貫通孔３１と、貫通孔３１の出口と接続され、導線４１を貫通孔３１内から外部に取り出す通路３２とを備える。【選択図】図２
2013228855.tif 000002
【特許請求の範囲】
【請求項１】
基板上に形成されるタッチパネルであって、
前記基板上に配置される第１の電極と、
前記基板上に配置され、前記第１の電極を取り囲む第２の電極と、を備え、
前記第１の電極の一端は第１の導線と接続され、
前記第２の電極の一端は第２の導線と接続され、
前記第２の電極は、
前記第１の電極を取り囲む貫通孔と、
前記貫通孔の出口と接続され、前記第１の導線を前記貫通孔内から外部に取り出す通路と、を備えることを特徴とするタッチパネル。
【請求項２】
基板上に形成されるタッチパネルであって、
前記基板上の第１の方向に所定間隔をおいて配置される複数の第１の電極と、
前記基板上の前記第１の方向に向けて配置され、前記複数の第１の電極のそれぞれを取り囲む第２の電極と、を備え、
前記複数の第１の電極の各一端は複数の第１の導線とされ、
前記第２の電極の一端は第２の導線と接続され、
前記第２の電極は、
前記複数の第１の電極のそれぞれを取り囲む複数の貫通孔と、
前記各貫通孔の出口と接続され、前記第１の導線を前記各貫通孔内から外部に取り出す複数の通路と、を備えることを特徴とするタッチパネル。
【請求項３】
前記第１の電極は検出電極であり、前記第２の電極は駆動電極であることを特徴とする請求項１または請求項２に記載のタッチパネル。
【請求項４】
前記第１電極の平面形状は多角形または円形からなり、これに応じて前記貫通孔の開口面の形状は多角形または円形からなることを特徴とする請求項１乃至請求項３の何れか１項に記載のタッチパネル。
【請求項５】
前記第１電極の平面形状は多角形からなり、これに応じて前記貫通孔の開口面の形状は多角形からなり、
前記第１の電極は、前記多角形の予め定めた辺が前記第２電極の長さ方向と９０度以外の角度で交差するように前記基板上に配置されていることを特徴とする請求項１乃至請求項３の何れか１項に記載のタッチパネル。
【請求項６】
基板上に形成されるタッチパネルであって、
前記基板上に配置される補助駆動電極と、
前記基板上に配置され、前記補助駆動電極を取り囲むリング状の検出電極と、
前記基板上に配置され、前記補助駆動電極と前記検出電極をそれぞれ取り囲む主駆動電極と、を備え、
前記補助駆動電極の一端は第１の導線で前記主駆動電極と接続され、
前記検出電極の一端は第２の導線と接続され、
前記検出電極は、前記第１の導線を配置する第１の通路を備え、
前記主駆動電極は、
前記補助駆動電極と前記検出電極をそれぞれ取り囲む貫通孔と、
前記貫通孔の出口と接続され、前記第２の導線を前記貫通孔内から外部に取り出す第２の通路と、
を備えることを特徴とするタッチパネル。
【請求項７】
基板上に形成されるタッチパネルであって、
前記基板上の第１の方向に所定間隔をおいて配置される複数の補助駆動電極と、
前記基板上であって、前記第１の方向に所定間隔をおくとともに前記複数の補助駆動電極のそれぞれを取り囲むリング状の複数の検出電極と、
前記基板上の前記第１の方向に向けて配置され、前記複数の補助駆動電極と前記複数の検出電極のそれぞれを取り囲む主駆動電極と、を備え、
前記複数の補助駆動電極の各一端は複数の第１の導線で前記主駆動電極と接続し、
前記複数の検出電極の各一端は複数の第２の導線と接続し、
前記複数の各検出電極は、前記複数の第１の導線を配置する第１の通路を有し、
前記主駆動電極は、
前記複数の補助駆動電極と前記複数の検出電極のそれぞれを取り囲む複数の貫通孔と、
前記各貫通孔の出口と接続され、前記第２の導線を前記各貫通孔内から外部に取り出す複数の第２の通路と、
を備えることを特徴とするタッチパネル。
【請求項８】
前記補助駆動電極の平面形状は多角形または円形からなり、これに応じて前記貫通孔の開口面の形状は多角形または円形からなることを特徴とする請求項６または請求項７に記載のタッチパネル。
【請求項９】
前記補助駆動電極の平面形状は多角形からなり、これに応じて前記貫通孔の開口面の形状は多角形からなり、
前記補助駆動電極は、前記多角形の予め定めた辺が前記駆動電極の長さ方向と９０度以外の角度で交差するように前記基板上に配置されていることを特徴とする請求項６または請求項７に記載のタッチパネル。
【発明の詳細な説明】
【技術分野】
【０００１】
本発明は、多機能携帯電話などの携帯端末の入力装置として使用されるタッチパネルに関する。
【背景技術】
【０００２】
従来、この種の携帯端末の入力装置として使用されるタッチパネルとしては、以下のような静電容量型のタッチパネルが知られている。
このタッチパネルは、基板上のＸ方向に透明の第１の電極を複数設けて第１層とし、その第１層の上に絶縁膜を設け、絶縁膜上に第２の電極をＹ方向に複数設けて第２層とし、その第１の電極と第２の電極との各交差部に静電容量を形成するようにしている。そして、タッチパネルに手を触れることにより、その静電容量の変化を検出し、入力位置を検出するようになっている。
【０００３】
また、静電容量型のタッチパネルにおいて、薄型化を図るために特許文献１に記載のものが知られている。
このタッチパネルは、基板上の一方の面に、それぞれが透明である第１の電極と第２の電極とを設けている。具体的には、第１の電極はＸ方向に延びており、第２の電極はその第１の電極の延びる方向に沿って複数個からなる。そして、第１の電極と複数の第２の電極とにより、複数の静電容量を形成するようにし、その複数の静電容量のそれぞれの変化を検出することにより、入力位置を検出するようになっている。
【先行技術文献】
【特許文献】
【０００４】
【特許文献１】米国特許公開２０１１−２７３３９１号公報
【発明の概要】
【発明が解決しようとする課題】
【０００５】
特許文献１に記載のタッチパネルでは、基板上に一層の状態で、第１の電極と第２の電極とを形成するようにしている。
このため、タッチパネルにおいて、十分な解像度が得られない場合がある。また、第１の電極と第２の電極との間で形成される静電容量おいて、十分な変化が得られず、これにより入力位置の検出に必要な十分な検出信号が得られない場合がある。
【０００６】
そこで、本発明は、このような点に鑑み、基板上に一層で静電容量を形成する場合に、解像度の向上が図れる上に、静電容量の十分な変化が得られるようにしたタッチパネルを提供することを目的とする。
【課題を解決するための手段】
【０００７】
上記の目的を達成するために、本発明は以下のような構成からなる。
本発明の一態様は、基板上に形成されるタッチパネルであって、前記基板上に配置される第１の電極と、前記基板上に配置され、前記第１の電極を取り囲む第２の電極と、を備え、前記第１の電極の一端は第１の導線と接続され、前記第２の電極の一端は第２の導線と接続され、前記第２の電極は、前記第１の電極を取り囲む貫通孔と、前記貫通孔の出口と接続され、前記第１の導線を前記貫通孔内から外部に取り出す通路と、を備える。
【０００８】
また、本発明の他の態様は、基板上に形成されるタッチパネルであって、前記基板上の第１の方向に所定間隔をおいて配置される複数の第１の電極と、前記基板上の前記第１の方向に向けて配置され、前記複数の第１の電極のそれぞれを取り囲む第２の電極と、を備え、前記複数の第１の電極の各一端は複数の第１の導線とされ、前記第２の電極の一端は第２の導線と接続され、前記第２の電極は、前記複数の第１の電極のそれぞれを取り囲む複数の貫通孔と、前記各貫通孔の出口と接続され、前記第１の導線を前記各貫通孔内から外部に取り出す複数の通路と、を備える。
【０００９】
さらに、本発明の他の態様は、基板上に形成されるタッチパネルであって、前記基板上に配置される補助駆動電極と、前記基板上に配置され、前記補助駆動電極を取り囲むリング状の検出電極と、前記基板上に配置され、前記補助駆動電極と前記検出電極をそれぞれ取り囲む主駆動電極と、を備え、前記補助駆動電極の一端は第１の導線で前記主駆動電極と接続され、前記検出電極の一端は第２の導線と接続され、前記検出電極は、前記第１の導線を配置する第１の通路を備え、前記主駆動電極は、前記補助駆動電極と前記検出電極をそれぞれ取り囲む貫通孔と、前記貫通孔の出口と接続され、前記第２の導線を前記貫通孔内から外部に取り出す第２の通路と、を備える。
【００１０】
また、本発明の他の態様は、基板上に形成されるタッチパネルであって、前記基板上の第１の方向に所定間隔をおいて配置される複数の補助駆動電極と、前記基板上であって、前記第１の方向に所定間隔をおくとともに前記複数の補助駆動電極のそれぞれを取り囲むリング状の複数の検出電極と、前記基板上の前記第１の方向に向けて配置され、前記複数の補助駆動電極と前記複数の検出電極のそれぞれを取り囲む主駆動電極と、を備え、前記複数の補助駆動電極の各一端は複数の第１の導線で前記主駆動電極と接続し、前記複数の検出電極の各一端は複数の第２の導線と接続し、前記複数の各検出電極は、前記複数の第１の導線を配置する第１の通路を有し、前記主駆動電極は、前記複数の補助駆動電極と前記複数の検出電極のそれぞれを取り囲む複数の貫通孔と、前記各貫通孔の出口と接続され、前記第２の導線を前記各貫通孔内から外部に取り出す複数の第２の通路と、を備える。
【発明の効果】
【００１１】
このような構成の本発明によれば、基板上に一層で静電容量を形成する場合に、解像度の向上を図ることが可能となる。
また、本発明によれば、静電容量の十分な変化が得られるので、これにより入力位置の検出に必要な十分な検出信号が得られ、入力位置の検出精度の向上を図ることが可能となる。
【図面の簡単な説明】
【００１２】
【図１】本発明のタッチパネルの第１実施形態の構成を示す平面図である。
【図２】図１の要部の構成を示す図であり、（Ａ）は平面図、（Ｂ）はそのＡ−Ａ線の断面図である。
【図３】第１実施形態の第１の変形例の要部の構成を示す図であり、（Ａ）は平面図、（Ｂ）はそのＡ−Ａ線の断面図である。
【図４】第１実施形態の第２の変形例の要部の構成を示す図であり、（Ａ）は平面図、（Ｂ）はそのＡ−Ａ線の断面図である。
【図５】第１実施形態の第３の変形例の要部の構成を示す図であり、（Ａ）は平面図、（Ｂ）はそのＡ−Ａ線の断面図である。
【図６】第１実施形態の第４の変形例の要部の構成を示す図であり、（Ａ）は平面図、（Ｂ）はそのＡ−Ａ線の断面図である。
【図７】本発明のタッチパネルの第２実施形態の構成を示す平面図である。
【図８】図７の要部の構成を示す図であり、（Ａ）は平面図、（Ｂ）はそのＡ−Ａ線の断面図である。
【図９】第２実施形態の第１の変形例の構成を説明する図であり、（Ａ）はその要部の平面図、（Ｂ）はそのＡ−Ａ線の断面図である。
【図１０】第２実施形態の第２の変形例の構成を説明する図であり、（Ａ）はその要部の平面図、（Ｂ）はそのＡ−Ａ線の断面図である。
【図１１】第２実施形態の第３の変形例の構成を説明する図であり、（Ａ）はその要部の平面図、（Ｂ）はそのＡ−Ａ線の断面図である。
【図１２】本発明のタッチパネルの第３実施形態の構成の一部を示す部分的な平面図である。
【図１３】本発明のタッチパネルの第４実施形態の構成の一部を示す部分的な平面図である。
【発明を実施するための形態】
【００１３】
以下、図面を参照して本発明の実施形態について説明する。
〔第１実施形態〕
図１は、本発明のタッチパネルの第１実施形態の構成を示す平面図である。図２（Ａ）は、図１の要部の構成を示す平面図、図２（Ｂ）はそのＡ−Ａ線の断面図である。
（構成）
この第１実施形態のタッチパネルは、基板１の一方の面（例えば上面）に形成されるものであり、基板１上の所定位置に、複数の検出電極２と、この複数の検出電極２を取り囲む複数の駆動電極３とが配置されている。
基板１は、絶縁基板（例えばガラス基板）からなり、図１および図２に示すように、横方向（Ｘ方向）、縦方向（Ｙ方向）、および厚さ方向（Ｚ方向）にそれぞれ所定の寸法を有する。
【００１４】
検出電極２は、図１に示すように、基板１上のＸ方向とＹ方向に同じ間隔Ｌ１をおいて、Ｘ方向およびＹ方向（縦横方向）にマトリクス状に配置されている。この例では、検出電極２は８個×８個＝６４個からなる。この検出電極２のそれぞれは、ＩＴＯ、ＩＺＯ、ＺｎＯなどを原料とする透明の導電性薄膜からなる。
検出電極２のそれぞれは、導線４１〜４８の各一端と接続されている。導線４１〜４８は、基板１上であって駆動電極３の長さ方向に沿って並行に配置されている。また、導線４１〜４８の他端は、基板１上の左右の端部に配置される導線５１〜５８と接続されている。
【００１５】
駆動電極３は、この例では８個からなる。駆動電極３のそれぞれは、ＩＴＯ、ＩＺＯ、ＺｎＯなどを原料とする透明の導電性薄膜からなり、所定の幅と所定の厚さを有するとともに、基板１のＸ方向に延びている。そして、８個の駆動電極３は、図１に示すように、その長さ方向がＸ方向に一致するとともに、Ｙ方向に所定の間隔Ｌ１をおいて基板１上に並列に配置されている。
また、駆動電極３のそれぞれは、図２に示すように、検出電極２の周りを取り囲む貫通孔３１と、貫通孔３１の出口と接続され、導線４１を貫通孔３１内から外部に取り出すための通路３２と、を備えている。この各貫通孔３１は、駆動電極３の長さ方向に所定の間隔Ｌ１で配置されるとともに、駆動電極３の厚さ方向に貫通する。
【００１６】
このため、駆動電極３は、基板１上に配置されたときに、８個の各貫通孔３１が、基板１上に配置される８個の検出電極２の周りをそれぞれ取り囲むことができる。これにより、検出電極２と駆動電極３との間で、全体として６４個の静電容量を形成される。
さらに、駆動電極３のそれぞれの一端側または他端側は、対応する配線用の導線６１〜６８に接続されている。導線６１〜６８は、基板１上であってその左右の端部側の領域に配置されている。
【００１７】
次に、検出電極２と駆動電極３の詳細な構成について、図２を参照して説明する。
検出電極２は、図２（Ａ）に示すように、平面の形状が六角形からなる。この六角形は、一辺の長さが同じでなくても良い。
また、駆動電極３に設けた貫通孔３１は、その検出電極２の六角形の形状に応じて、開口面の形状が六角形からなり、その大きさはその検出電極２の大きさよりも一回り大きくなっている。
このため、貫通孔３１の内周壁と検出電極２の外周壁とは、予め定めた間隔Ｌ２をおいて対向する。したがって、検出電極２は、その配置位置において駆動電極３との間で、対向する間隔がＬ２であり、対向する長さが検出電極２の外周の長さにほぼ等しい、静電容量を形成することになる。
【００１８】
また、図２（Ａ）で示すように、検出電極２は、その六角形の６辺のうち所定の辺２１〜２４が駆動電極３の長さ方向と９０度以外で交差するように、基板１上に配置するようにした。
さらに、駆動電極３のそれぞれは、貫通孔３１の出口と接続され、検出電極２と接続する導線４１を貫通孔３１内から外部に取り出すための通路３２を有している。この通路３２の幅は、上記の対向する長さをできるだけ確保するために、導線４１が駆動電極３と接触しない範囲でできるだけ狭くすることが好ましい。
【００１９】
（動作）
次に、この第１実施形態の動作例について説明する。
この第１実施形態に係るタッチパネルは、例えば多機能形態電話の入力装置として適用され、この場合には液晶表示器の上側に配置して使用される。
また、この第１実施形態では、８個の駆動電極３のそれぞれは導線６１〜６８を介して駆動回路（図示せず）と接続される。また、Ｘ方向およびＹ方向に配置される６４個の検出電極２のそれぞれは、導線４１〜４８と導線５１〜５８を介して検出回路（図示せず）と接続される。
【００２０】
そして、指の接触位置の検出のときには、駆動回路は８個の駆動電極３に時分割方式で駆動電圧を順に印加する。駆動電極３に駆動電圧が印加されている期間に、検出回路は、駆動電極３との間で静電容量を形成する８個の検出電極２について、順に静電容量に伴う電圧変化を検出する。
駆動回路と検出回路は、このような動作を８個の駆動電極３と６４個の検出電極２について実施する。そして、指の接触位置では静電容量が変化するので、検出回路が取得した検出電圧に基づいて、指の接触位置である入力位置を特定する。
【００２１】
（効果）
以上のように、この第１実施形態では、基板１上に複数の検出電極２を配置し、基板１上に駆動電極３を配置したときに、駆動電極３に設けた複数の貫通孔３１が複数の検出電極２を取り囲むようにした。このため、この第１実施形態によれば、一層で駆動電極と検出電極を形成する場合であっても、Ｙ方向（縦方向）の電極の配置間隔を短くすることができるので、タッチパネルの解像度の向上を図ることができる。
【００２２】
また、この第１実施形態では、検出電極２の周囲を駆動電極３に設けた貫通孔３１で取り囲むようにした。そして、その貫通孔３１の一部である出口に検出電極２と接続する導線を貫通孔３１内から外部に取り出すための通路３２を設け、この通路３２の幅は導線が駆動電極３に接触せずに通れる程度にした。
このため、第１実施形態によれば、各検出電極２は、駆動電極３と対向する部分の長さを検出電極２の外周の長さとほぼ同じにすることができ、その両電極の間で形成される静電容量を増加できるので、静電容量の変化が大きくなって検出感度の向上を図ることができる。
【００２３】
さらに、この第１実施形態では、検出電極２の平面形状は六角形とし、これに応じて駆動電極３の貫通孔３１の開口面（平面）の形状を六角形とした。そして、検出電極１は、その六角形の６辺のうち所定の辺が駆動電極３の長さ方向と９０度以外で交差するように、基板１上に配置するようにした。このため、第１実施形態によれば、検出電極２と駆動電極３との間で形成される静電容量をＸ方向に徐々に変化させることができ、その静電容量の微小な変化を検出することができる。
【００２４】
また、第１実施形態に係るタッチパネルを多機能形態電話のような携帯端末に搭載する場合には、タッチパネルの下側に表示器が配置される。このとき、タッチパネルは表示器が発生するノイズ（雑音）の影響を受け易いが、上記のように静電容量の十分な変化が得られるので、入力位置の検出信号のＳＮ比の低下を防止できる。
なお、この第１実施形態では、構成の基本単位として、８個の検出電極２と１個の駆動電極３とを組み合わせて８個の静電容量を形成するようにした。
【００２５】
しかし、これに代えて、例えば４個の検出電極と４個の貫通孔を有する１個の駆動電極とを組み合わせて４個の静電容量を形成し、または１個の検出電極と１個の貫通孔を有する１個の駆動電極とを組み合わせて１つの静電容量を形成し、これを構成の基本単位としても良い。
また、この第１実施形態では、８個の検出電極２と１個の駆動電極３とを組み合わせて８個の静電容量を形成するようにしたが、検出電極と駆動電極を置き換えるようにしてもよい。
【００２６】
（第１変形例）
この第１変形例は、図１の構成を基本にし、図２の検出電極２を図３の検出電極２ａに置き換えたものである。
すなわち、第１変形例の検出電極２ａは、図３（Ａ）に示すように、平面の形状を四角形にした。この四角形は、一辺の長さが同じでなくても良い。
そして、検出電極２ａは、図３に示すように、その四角形の対向する辺が駆動電極３の長さ方向に直交するように、基板１上に配置するようにした。さらに、これに対応して、駆動電極３には開口面が四角形の貫通孔３１ａを設けるようにした。
なお、第１変形例の検出電極２ａと駆動電極３に設けた貫通孔３１ａを除く部分の構成は、第１実施形態と同様のため、その説明は省略する。
【００２７】
（第２変形例）
この第２変形例は、図１の構成を基本にし、図２の検出電極２を図４の検出電極２ｂに置き換えたものである。
すなわち、第２変形例の検出電極２ｂは、図４（Ａ）に示すように、平面の形状が検出電極２ａと同様に四角形としたが、その四角形の隣接する辺が駆動電極３の長さ方向に９０度以外で直交するように、基板１上に配置した点が異なる。
さらに、これに対応して、駆動電極３には開口面が四角形の貫通孔３１ｂを設けるようにした。
なお、第２変形例の検出電極２ｂと駆動電極３に設けた貫通孔３１ｂを除く部分の構成は、第１実施形態と同様のため、その説明は省略する。
【００２８】
（第３変形例）
この第３変形例は、図１の構成を基本にし、図２の検出電極２を図５の検出電極２ｃに置き換えたものである。
すなわち、第３変形例の検出電極２ｃは、図５（Ａ）に示すように、平面の形状を円形にした。さらに、これに対応して、駆動電極３には開口面が円形の貫通孔３１ｃを設けるようにした。
なお、第３変形例の検出電極２ｃと駆動電極３に設けた貫通孔３１ｃを除く部分の構成は、第１実施形態と同様のため、その説明は省略する。
【００２９】
（第４変形例）
この第４変形例は、図１の構成を基本にし、図２の検出電極２を図６の検出電極２ｄに置き換えたものである。
すなわち、第４変形例の検出電極２ｄは、図６（Ａ）に示すように、平面の形状が円形部と円形部の周りに突出する凹凸部とからなる。さらに、これに対応して、駆動電極３には開口面が円形の貫通孔３１ｄを設けるようにした。
なお、第４変形例の検出電極２ｄと駆動電極３に設けた貫通孔３１ｄを除く部分の構成は、第１実施形態と同様のため、その説明は省略する。
【００３０】
〔第２実施形態〕
図７は、本発明のタッチパネルの第２実施形態の構成を示す平面図である。図８（Ａ）は図７の要部の構成を示す平面図、図８（Ｂ）はそのＡ−Ａ線の断面図である。
（構成）
この第実施形態のタッチパネルは、基板１の一方の面（この例では上面）の所定位置に、補助駆動電極３−１と、補助駆動電極３−１を取り囲む検出電極８と、補助駆動電極３−１と検出電極８とを取り囲む主駆動電極３−２とがそれぞれ配置されている。
【００３１】
基板１は、絶縁基板（例えばガラス基板）からなり、図７および図８に示すように、横方向、縦方向、および厚さ方向にそれぞれ所定の寸法を有する。
補助駆動電極３−１は、図１に示すように、基板１の上面のＸ方向とＹ方向に同じ間隔Ｌ１をおいて、Ｘ方向およびＹ方向（縦横方向）にマトリクス状に複数個配置されている。この例では、補助駆動電極３−１は、検出電極２は８個×８個＝６４個からなる。この補助駆動電極３−１のそれぞれは、ＩＴＯ、ＩＺＯ、ＺｎＯなどを原料とする透明の導電性薄膜からなる。また、補助駆動電極３−１のそれぞれは、導線７１によって主駆動電極３−２に接続されている。
【００３２】
検出電極８は、環状（リング状）に形成され、基板１上に補助駆動電極３−１を取り囲むように配置されている。この検出電極８は、１つの補助駆動電極３−１を取り囲むので、この例では全体の個数は補助駆動電極３−１の個数と同じ６４個からなる。そして、検出電極８のそれぞれは、ＩＴＯ、ＩＺＯ、ＺｎＯなどを原料とする透明の導電性薄膜からなる。検出電極８の一部には、図８（Ａ）に示すように、導線７１が配置される通路８１がリングの内側から外側に向けて形成されている。
【００３３】
Ｘ方向に配置される８個の検出電極８は、導線４１〜４８の各一端と接続されている。導線４１〜４８は、基板１上であって主駆動電極３−１の長さ方向に沿って配置されている。また、導線４１〜４８の他端は、基板１の上面の左右の端部に配置した導線５１〜５８と接続されている。
主駆動電極３−２は、この例では８個からなる。主駆動電極３−２のそれぞれは、ＩＴＯ、ＩＺＯ、ＺｎＯなどを原料とする透明の導電性薄膜からなり、所定の幅と所定の厚さを有するとともに、基板１のＸ方向に延びている。そして、８個の主駆動電極３−２は、図７に示すように、その長さ方向がＸ方向に一致するとともに、Ｙ方向に所定の間隔Ｌ１をおいて基板１上に並列に配置されている。
【００３４】
また、主駆動電極３−２のそれぞれは、図８に示すように、基板１上に配置される補助駆動電極３−１と検出電極８とを取り囲む貫通孔３５と、貫通孔３５の出口と接続され、導線４１を貫通孔３５内から外部に取り出すための通路３６と、を備えている。この各貫通孔３５は、主駆動電極３−２の長さ方向に所定の間隔Ｌ１で配置されるとともに、主駆動電極３−２の厚さ方向に貫通する。
【００３５】
このため、主駆動電極３−２は、基板１上に配置されたときには、補助駆動電極３−１と検出電極８を同時に取り囲んだ状態になる。さらに、このときには、主駆動電極３−２と導線７１で接続される補助駆動電極３−１は、環状の検出電極８に取り囲まれた状態にある。言い換えると、環状の検出電極８は、内側が補助駆動電極３−１と対向し、外側が主駆動電極３−２と対向した状態になる。
【００３６】
したがって、２つの駆動電極３−１、３−２と、検出電極８との間で静電容量が形成されることになる。この形成される静電容量は、この例では６４個となる。
主駆動電極３−２のそれぞれの一端側または他端側は、対応する配線用の導線６１〜６８に接続されている。導線６１〜６８は、基板１上であって、その左右の端部側の領域に配置されている。
【００３７】
次に、補助駆動電極３−１、検出電極８、および主駆動電極３−２の詳細な構成について、図８を参照して説明する。
補助駆動電極３−１は、図８（Ａ）に示すように、平面の形状が六角形からなる。この六角形は、一辺の長さが同じでなくても良い。
また、検出電極８は、補助駆動電極３−１を取り囲むために、その補助駆動電極３−１の六角形の形状に応じて、平面の内側と外側の各形状が六角形のリングからなる。そのリングの内側の六角形の形状の大きさは、補助駆動電極３−１の六角形の大きさよりも一回り大きくなっている。
【００３８】
さらに、主駆動電極３−２に設けた貫通孔３５は、補助駆動電極３−１と検出電極８とを取り囲むために、その検出電極８の平面の外側の六角形の形状に応じて、開口面の形状が六角形からなり、その大きさはその検出電極８の外側の六角形の大きさよりも一回り大きくなっている。
このため、環状の検出電極８は、内側が間隔Ｌ３おいて補助駆動電極３−１と対向し、外側が間隔Ｌ４をおいて対向した状態になる（図８（Ａ）（Ｂ）参照）。したがって、検出電極８は、その配置位置において、２つの駆動電極３−１、３−２との間で以下のような静電容量を形成する。
【００３９】
すなわち、検出電極８は、補助駆動電極３−１との間では、対向する間隔がＬ３であって、対向する長さが検出電極８の内周の長さにほぼ等しい静電容量を形成する。また、主駆動電極３−２との間では、対向する間隔がＬ４であって、対向する長さが検出電極８の外周の長さにほぼ等しい静電容量を形成する。
また、図８（Ａ）に示すように、補助駆動電極３−１は、その六角形の６辺のうち所定の辺９１〜９４が主駆動電極３−２の長さ方向と９０度以外で交差するように、基板１上に配置するようにした。また、検出電極８も補助駆動電極３−１の向きと同様になるように、基板１上に配置するようにした。
【００４０】
さらに、主駆動電極３−２は、貫通孔３５の出口と接続され、検出電極８と接続する導線４１を貫通孔３５内から外部に取り出す通路３６を有している。この通路３６の幅は、上記の対向する長さをできるだけ確保するために、導線４１が主駆動電極３−２と接触しない範囲でできるだけ狭くすることが好ましい。
また、検出電極８は、リングの内側から外側に導線７１を通すための通路８１を備えている。通路８１の幅は、上記の対向する長さをできるだけ確保するために、導線７１が検出電極８と接触しない範囲でできるだけ狭くすることが好ましい。
【００４１】
（動作）
次に、この第２実施形態の動作例について説明する。
この第２実施形態に係るタッチパネルは、例えば多機能形態電話の入力装置として適用され、この場合には液晶表示器の上側に配置して使用される。
また、この第２実施形態では、８個の主駆動電極３−２とこれに関連する６４個の補助駆動電極３−１のそれぞれは導線６１〜６８を介して駆動回路（図示せず）と接続される。また、Ｘ方向およびＹ方向に配置される６４個の検出電極８のそれぞれは、導線４１〜４８と導線５１〜５８を介して検出回路（図示せず）と接続される。
【００４２】
そして、指の接触位置の検出のときには、駆動回路は８個の主駆動電極３−２に時分割方式で駆動電圧を順に印加する。主駆動電極３−２に駆動電圧が印加されている期間に、検出回路は、２つの駆動電極３−１、３−２との間で静電容量を形成する８個の検出電極８について、順に静電容量に伴う電圧変化を検出する。
駆動回路と検出回路は、このような動作を８個の主駆動電極３−２と６４個の検出電極８について実施する。そして、指の接触位置では静電容量が変化するので、検出回路が取得した検出電圧に基づいて、指の接触位置である入力位置を特定する。
【００４３】
（効果）
以上のように、この第２実施形態では、基板１上のＸ方向に複数の補助駆動電極３−１を配置し、その各補助駆動電極３−１を取り囲むように基板１上に複数の検出電極８を配置し、基板１上に主駆動電極３−２を配置したときに、主駆動電極３−２に設けた貫通孔３５が補助駆動電極３−１と検出電極２を同時に取り囲むようにした。
このため、この第２実施形態によれば、一層で駆動電極と検出電極を形成する場合であっても、Ｙ方向（縦方向）の電極の配置間隔を短くすることができるので、タッチパネルの解像度の向上を図ることができる。
【００４４】
また、この第２実施形態では、検出電極８が、内側が間隔Ｌ３をおいて補助駆動電極３−１と対向し、外側が間隔Ｌ４をおいて主駆動電極３−２と対向するようにした。このため、第２実施形態によれば、検出電極８は、内外の２つの駆動電極３−１、３−２と対向することにより、電極の間で形成される静電容量を増加できるので、静電容量の変化が大きくなって検出感度の向上を図ることができる。
さらに、この第２実施形態では、補助駆動電極３−１の平面形状を六角形とし、これに応じて検出電極８の平面の外側の形状、および主駆動電極３−２の貫通孔３５の開口面（平面）の形状を六角形とした。さらに、図８（Ａ）で示すように、その六角形の６辺のうち所定の辺が主駆動電極３−２の長さ方向と９０度以外で交差するようにした。
【００４５】
このため、第２実施形態によれば、検出電極８と２つの駆動電極３−１、３−２との間で形成される静電容量を徐々に変化させることができ、その静電容量の微小な変化を検出することができる。
なお、この第２実施形態では、構成の基本単位として、８個の補助駆動電極３−１、８個の検出電極８、および８個の貫通孔３５を有する１個の主駆動電極３−２とを組み合わせ、８個の静電容量を形成するようにした。
しかし、これに代えて、例えば４個の補助駆動電極、４個の検出電極、４個の貫通孔を有する１個の駆動電極を組み合わせて４個の静電容量を形成し、または１個の補助駆動電極、１個の検出電極、１個の貫通孔を有する１個の駆動電極を組み合わせて１つの静電容量を形成し、これを構成の基本単位としても良い。
【００４６】
（第１変形例）
この第１変形例は、図７の構成を基本にし、図８の補助駆動電極３−１を図９の補助駆動電極３−１ａに置き換えたものである。
すなわち、第１変形例の補助駆動電極３−１ａは、図９（Ａ）に示すように、平面の形状を四角形にしたものである。４角形は、一辺の長さが異なっても良い。そして、補助駆動電極３−１ａは、図９に示すように、その四角形の対向する辺が主駆動電極３−２の長さ方向に直交するように、基板１上に配置するようにした。
【００４７】
これに対応して、補助駆動電極３−１ａを取り囲む検出電極８ａは、平面の内側と外側の各形状が四角形のリングとした。さらに、補助駆動電極３−１ａと検出電極８ａを取り囲むために、主駆動電極３−２には開口面の形状が四角形の貫通孔３５ａを設けるようにした。
なお、この第１変形例の補助駆動電極３−１ａ、検出電極８ａ、および主駆動電極３−２に設けた貫通孔３５ａを除く部分の構成は、第２実施形態と同様のため、その説明は省略する。
【００４８】
（第２変形例）
この第２変形例は、図７の構成を基本にし、図８の補助駆動電極３−１を図１０の補助駆動電極３−１ｂに置き換えたものである。
すなわち、第２変形例の補助駆動電極３−１ｂは、図１０（Ａ）に示すように、平面の形状が補助駆動電極３−１ａと同様に四角形にしたが、その四角形の隣接する辺が主駆動電極３−２の長さ方向に９０度以外で直交するように基板１上に配置した点が異なる。
【００４９】
これに対応して、補助駆動電極３−１ｂを取り囲む検出電極８ｂは，平面の内側と外側の各形状が四角形のリングとした。さらに、補助駆動電極３−１ｂと検出電極８ｂを取り囲むために、主駆動電極３−２には開口面の形状が四角形の貫通孔３５ｂを設けるようにした。
なお、この第２変形例の補助駆動電極３−１ｂ、検出電極８ｂ、および主駆動電極３−２に設けた貫通孔３５ｂを除く部分の構成は、第２実施形態と同様のため、その説明は省略する。
【００５０】
（第３変形例）
この第３変形例は、図７の構成を基本にし、図８の補助駆動電極３−１を図１１の補助駆動電極３−１ｃに置き換えたものである。
すなわち、第３変形例の補助駆動電極３−１ｃは、図１１（Ａ）に示すように、平面の形状を円形にしたものである。これに対応して、補助駆動電極３−１ｃを取り囲む検出電極８ｃは、平面の内側と外側の各形状が円形のリングからなる。さらに、補助駆動電極３−１ｃと検出電極８ｃを取り囲むために、主駆動電極３−２には、開口面の形状が円形の貫通孔３５ｃを設けるようにした。
なお、この第３変形例の補助駆動電極３−１ｃ、検出電極８ｃ、および主駆動電極３−２に設けた貫通孔３５ｃを除く部分の構成は、第２実施形態と同様のため、その説明は省略する。
【００５１】
〔第３実施形態〕  
図１２は、本発明のタッチパネルの第３実施形態の構成の一部を示す部分的な平面図である。
この第３実施形態のタッチパネルは、図１に示す第１実施形態の構成を基本にし、図１の駆動電極３を図１２の駆動電極３ａに置き換えたものである。
すなわち、第１実施形態の駆動電極３は、図１に示すように長さ方向において電極パターンが一定の幅を有する。しかし、各検出電極２を貫通孔３１に収容した形態で各検出電極２の周囲を取り囲むことができれば(図２参照)、その電極パターンの幅を図１のように太くする必要はない。
【００５２】
そこで、第３実施形態の駆動電極３ａでは、図１２に示すように電極パターンの幅を細くし、図１の駆動電極３と同様の機能を持たせるようにした。
言い換えると、駆動電極３ａは、図１２に示すように、各検出電極２を取り囲む取り囲み部３ａ−１と、この取り囲み部３ａ−１同士を連結する連結部３ａ−２とを備え、これらをほぼ同じ幅の細いパターンで形成するようにした。
なお、第３実施形態の他の部分の構成は、図１の第１実施形態の構成と同様であるので、同一の構成要素には同一符号を付してその説明は省略する。
このように構成する第３実施形態では、第１実施形態と同様の作用効果を実現することができる。
【００５３】
さらに、この第３実施形態では、駆動電極３ａ−２のパターン幅を第１実施形態の駆動電極３−２のパターン幅に比べて細くし、各検出電極２と接続される導線４１〜４８のパターンと離れて、連結部３ａ−２と導線４１〜４８間の並行配線からの悪影響の静電容量変化が受けにくくなる。この結果、静電容量の検出の際のリニアリティの向上を図ることができる。
【００５４】
次に、この第３実施形態の変形例について説明する。
この変形例は、図１２に示す構成を基本にし、図１２の検出電極２を図３〜図５の各検出電極２ａ〜２ｄに置き換え、これに対応して駆動電極３を図１２に示す駆動電極３ａのように電極パターンを細くするようにした。
【００５５】
〔第４実施形態〕  
図１３は、本発明のタッチパネルの第４実施形態の構成の一部を示す部分的な平面図である。
この第４実施形態のタッチパネルは、図７に示す第２実施形態の構成を基本にし、図７の駆動電極３−２を図１３の駆動電極３−２ａに置き換えたものである。
すなわち、第２実施形態の駆動電極３−２は、図７に示すように長さ方向において電極パターンが一定の幅を有する。しかし、各検出電極８を貫通孔３５に収容した形態で各検出電極８の周囲を取り囲むことができれば（図８参照）、その電極パターンの幅を図７のように太くする必要はない。
【００５６】
そこで、第４実施形態の駆動電極３−２ａでは、図１３に示すように電極パターンの幅を細くし、図７の駆動電極３−２と同様の機能を持たせるようにした。
言い換えると、駆動電極３−２ａは、図１３に示すように、各検出電極８を取り囲む取り囲み部３−２１と、この取り囲み部３−２１同士を連結する連結部３−２２とを備え、これらをほぼ同じ幅の細いパターンで形成するようにした。
【００５７】
なお、第４実施形態の他の部分の構成は、図７の第２実施形態の構成と同様であるので、同一の構成要素には同一符号を付してその説明は省略する。
このように構成する第４実施形態では、第２実施形態と同様の作用効果を実現することができる。
さらに、この第４実施形態では、駆動電極３−２ａのパターン幅を第２実施形態の駆動電極３−２のパターン幅に比べて細くし、各検出電極８と接続される導線４１〜４８のパターンと離れて、連結部３−２２と導線４１〜４８間の並行配線からの悪影響の静電容量変化が受けにくくなる。この結果、静電容量の検出の際のリニアリティの向上を図ることができる。
【００５８】
次に、この第４実施形態の変形例について説明する。
この変形例は、図１３に示す構成を基本にし、図１３の検出電極８を図９〜図１１の各検出電極８ａ〜８ｃに置き換え、これに対応して駆動電極３−２を図１３に示す駆動電極３−２ａのように電極パターンを細くするようにした。
【産業上の利用可能性】
【００５９】
本発明のタッチパネルは、多機能携帯電話などの携帯端末の入力装置として使用することができる。
【符号の説明】
【００６０】
１  基板
２、２ａ〜２ｄ  検出電極
３  駆動電極
３−１、３−１ａ〜３−１ｃ  補助駆動電極
３−２  主駆動電極
８、８ａ〜８ｃ  検出電極
３１、３５、３１ａ〜３１ｄ、３５ａ〜３５ｃ  貫通孔
３２、３６、８１  通路
４１〜４８、５１〜５８、６１〜６８、７１  導線
【図１】
2013228855.tif 000003
【図２】
2013228855.tif 000004
【図３】
2013228855.tif 000005
【図４】
2013228855.tif 000006
【図５】
2013228855.tif 000007
【図６】
2013228855.tif 000008
【図７】
2013228855.tif 000009
【図８】
2013228855.tif 000010
【図９】
2013228855.tif 000011
【図１０】
2013228855.tif 000012
【図１１】
2013228855.tif 000013
【図１２】
2013228855.tif 000014
【図１３】
2013228855.tif 000015